(57)【要約】【課題】  動画ファイルの内容をユーザが容易に識別できるように動画を記録する。【解決手段】  ファイル名選択画面を表示し（ステップＳ２０２）、予めユーザが作成して記憶させたファイル名を一覧表示させる。ユーザがカーソルキーの操作で、ファイル名選択画面からいずれかのファイル名を選択すると（ステップＳ２０３）、動画撮影画面に移行する（ステップＳ２０４）。この状態で１回目の実行キーの操作がなされると、動画撮影を開始し（ステップＳ２０５）、２回目の実行キーの操作がなされると動画撮影を終了する（ステップＳ２０６）。そして、動画データを動画ファイルとし、選択されたファイル名にて、記録する（ステップＳ２０７）。したがって、選択されて記録されたファイル名は、ユーザが作成したものであることから、ユーザにおいて、このファイル名から、当該動画ファイルの内容を容易に識別することができる。【選択図】    図８
2005277614.tif 000002
【特許請求の範囲】
【請求項１】
撮像手段と、
この撮像手段により撮像された画像データを記録する記録手段と、
予めファイル名を複数記憶するファイル名記憶手段と、
前記撮像手段による撮像後にこの撮像された画像データを前記記録手段にファイル化して記録させる際に、前記ファイル名記憶手段に複数記憶されるファイル名より所望のファイル名を選択する選択手段と、
この選択手段により選択されたファイル名を付して、前記画像データをファイル化して前記記録手段に記録させる記録制御手段と
を備えることを特徴とする撮像装置。
【請求項２】
前記ファイル名を作成するファイル名作成手段を更に備え、
前記ファイル名記憶手段は前記ファイル名作成手段によって作成されたファイル名を記憶することを特徴とする請求項１に記載の撮像装置。
【請求項３】
無線受信手段と、
この無線受信手段によって受信されたファイル名を記憶することを特徴とする請求項１に記載の撮像装置。
【請求項４】
前記選択手段により選択されたファイル名が過去に選択されたものであるか否かを判断する判断手段と、
この判断手段により過去に選択されたものであると判断された場合、前記記録制御手段は、今回選択されたファイル名に識別符号を付して前記記録手段に記録させることを特徴とする請求項１乃至３に何れか記載の撮像装置。
【請求項５】
前記画像データとは動画であることを特徴とする請求項１乃至４の何れかに記載の撮像装置。
【請求項６】
撮像部と画像メモリと操作部とを備えた電子機器の画像ファイル記憶方法であって、
予めファイル名をメモリに複数記憶させるステップと、
前記撮像部による撮像後にこの撮像された画像データを前記画像メモリにファイル化して記録させる際に、前記メモリに複数記憶されるファイル名より所望のファイル名を、前記操作部を操作することにより選択する選択ステップと、
この選択ステップにて選択されたファイル名を付して、前記画像データをファイル化して前記画像メモリに記録させる記録制御ステップと
からなることを特徴とする記憶制御方法。
【請求項７】
撮像部と画像メモリと操作部とを備えた電子機器が有するコンピュータを、
前記撮像部による撮像後にこの撮像された画像データを前記画像メモリにファイル化して記録させる際に、前記操作部を操作することにより、予めファイル名を複数記憶するメモリより所望のファイル名を選択する選択手段と、
この選択手段によって選択されたファイル名を付して、前記画像データをファイル化して前記画像メモリに記録させる記録制御手段と
して機能させることを特徴とする記録制御プログラム。
【発明の詳細な説明】
【技術分野】
【０００１】
本発明は、動画を撮像する撮像装置、この撮像装置における記録制御方法及び記録制御プログラムに関する。
【背景技術】
【０００２】
一般な電子カメラにおいては、撮像素子により被写体像を所定の短い時間間隔（電荷蓄積時間）で撮像し、この所定の時間間隔で撮像した被写体像をスルー画像として液晶モニターに表示する。ユーザは、液晶モニターに表示されるスルー画像を視認しながら、画質調整や画角調整等を行い、所望の画質や画角等からなるスルー画像が表示された時点でシャッター操作を行う。すると、シャッター操作を行った時点のスルー画像の画像ファイルが作成されて、ファイル名とともにメモリに記録される。このとき、ファイル名としては、日付、時刻が用いられる（例えば、特許文献１参照。）。
【０００３】
また、動画撮影機能を備える電子カメラにおいては、例えば１回目のシャッター操作から２回目のシャッター操作がなされるまでの画像が順次撮像され、２回目のシャッター操作がなされると、同様に日付、時刻をファイル名として動画ファイルがメモリに記録される。
【特許文献１】特開平６−１５３１４０号公報
【発明の開示】
【発明が解決しようとする課題】
【０００４】
今日においては、電子カメラ機能と通信機能とを備えた携帯電話、所謂カメラ付き携帯が多くのユーザに使用されるに至っており、さらに、動画撮影機能を備えたカメラ付き携帯も出現されるに至っている。このカメラ付き携帯においては、その通信機能を利用して、撮像した画像ファイルや動画ファイルを自己のパソコンに転送して、大画面で観賞する等が行われる。
【０００５】
このとき、パソコンの画面上には当該パソコンに搭載されているソフトウェアにより、ファイル名と縮小画像が表示されたり、動画ファイルの場合、ファイル名と先頭フレームの縮小画像が表示される。そして、ユーザが縮小画像を確認して、所望の画像をクリックすることにより、当該画像ファイルあるいは動画ファイルが選択されて再生表示されることとなる。
【０００６】
しかしながら、静止画のファイルである画像ファイルに関しては、縮小画像を見ることにより、当該画像ファイルの内容を認識することができるが、動画ファイルの場合、縮小画像を見ても、当該画像ファイルの内容を認識することができない場合がある。例えば、運動会で動画撮影を行い、各々の競技の動画ファイルを記録した場合において、その先頭フレームは同じような校庭でのシーンとなっている場合があり得る。この場合、先頭フレームの縮小画像を見てもそれが、どの競技の動画ファイルであるかをユーザが識別することができない。しかも、付されているファイル名は日付が同じであって、時間のみが異なるに過ぎないことから、ファイル名からの動画ファイルの内容を識別することもできない。
【０００７】
本発明はこのような問題点に鑑みてなされたものであり、動画ファイルの内容をユーザが容易に識別できるように動画を記録することのできる撮像装置、動画記録方法及び動画記録制御プログラムを提供することを目的とする。
【課題を解決するための手段】
【０００８】
前記課題を解決するため請求項１記載の発明に係る撮像装置にあっては、撮像手段と、この撮像手段により撮像された画像データを記録する記録手段と、予めファイル名を複数記憶するファイル名記憶手段と、前記撮像手段による撮像後にこの撮像された画像データを前記記録手段にファイル化して記録させる際に、前記ファイル名記憶手段に複数記憶されるファイル名より所望のファイル名を選択する選択手段と、この選択手段により選択されたファイル名を付して、前記画像データをファイル化して前記記録手段に記録させる記録制御手段とを備える。
【０００９】
したがって、撮像手段により撮像した画像データを記録手段に記録させる際には、予め記憶されているファイル名から所望のファイル名を選択すると、前記画像データがファイル化され選択されたファイル名が付されて記録手段に記録される。このファイル化された画像データに付されたファイル名にあっては、ユーザが選択したものであることから、ユーザにおいて、このファイル名から、当該ファイルの内容を容易に識別することができる。
【００１０】
また、請求項２記載の発明に係る撮像装置にあっては、前記ファイル名を作成するファイル名作成手段を更に備え、前記ファイル名記憶手段は前記ファイル名作成手段によって作成されたファイル名を記憶する。したがって、ユーザにおいて予め複数のファイル名を作成して記憶しておくことができる。よって、前記ファイル化された画像データに付されたファイル名にあっては、ユーザが作成しかつ選択したものであることから、ユーザにおいて、このファイル名から、当該ファイルの内容を一層容易に識別することができる。
【００１１】
また、請求項３記載の発明に係る撮像装置にあっては、無線受信手段と、この無線受信手段によって受信されたファイル名を記憶する。したがって、ユーザは予めファイル名を作成する操作を行うことなく、当該ファイルの内容を容易に認識することが可能となるファイル名を付して画像データを記録することができる。
【００１２】
また、請求項４記載の発明に係る撮像装置にあっては、前記選択手段により選択されたファイル名が過去に選択されたものであるか否かを判断する判断手段と、この判断手段により過去に選択されたものであると判断された場合、前記記録制御手段は、今回選択されたファイル名に識別符号を付して前記記録手段に記録させる。したがって、ファイル名記憶手段に記憶されているファイル名が重複して使用された場合であっても、異なる画像データのファイルに同一のファイル名が付されることがない。
【００１３】
また、請求項５記載の発明に係る撮像装置にあっては、前記画像データとは動画である。
【００１４】
したがって、ユーザにおいて予め複数のファイル名を作成して記憶しておき、動画を撮像した際には記憶させておいたファイル名から所望のファイル名を選択して、記録する動画に付することができる。この動画に付されたファイル名にあっては、ユーザが作成し選択したものであることから、ユーザにおいて、このファイル名から、当該動画ファイルの内容を容易に識別することができる。
【００１５】
また、請求項６記載の発明にあっては、撮像部と画像メモリと操作部とを備えた電子機器の画像ファイル記憶方法であって、予めファイル名をメモリに複数記憶させるステップと、前記撮像部による撮像後にこの撮像された画像データを前記画像メモリにファイル化して記録させる際に、前記メモリに複数記憶されるファイル名より所望のファイル名を、前記操作部を操作することにより選択する選択ステップと、この選択ステップにて選択されたファイル名を付して、前記画像データをファイル化して前記画像メモリに記録させる記録制御ステップとからなる。したがって、記載したステップに従って処理を実行することにより、請求項１記載の発明と同様の作用効果を奏する。
【００１６】
また、請求項７記載の発明に係る記録制御プログラムにあっては、撮像部と画像メモリと操作部とを備えた電子機器が有するコンピュータを、前記撮像部による撮像後にこの撮像された画像データを前記画像メモリにファイル化して記録させる際に、前記操作部を操作することにより、予めファイル名を複数記憶するメモリより所望のファイル名を選択する選択手段と、この選択手段によって選択されたファイル名を付して、前記画像データをファイル化して前記画像メモリに記録させる記録制御手段として機能させる。したがって、前記コンピュータが記載したプログラムに従って処理を実行することにより、請求項１記載の発明と同様の作用効果を奏する。
【発明の効果】
【００１７】
請求項１、６、７に係る発明によれば、撮像手段により撮像した画像データを記録手段に記録させる際には、複数のファイル名から所望のファイル名を選択して、記録する画像データのファイルに付することができる。この画像データのファイルに付されたファイル名にあっては、ユーザが所望により選択したものであることから、ユーザにおいて、このファイル名から、当該ファイルの内容を容易に識別することができる。したがって、ユーザがファイル名が付された画像データのファイルを自己のパソコンに転送して、大画面で観賞しようとした際等において、パソコンの画面上に表示されるファイル名を視認することのみにより、当該ファイルの内容を容易に認識することが可能となる。
【００１８】
また、請求項２に係る発明によれば、ユーザにおいて予め複数のファイル名を作成して記憶しておくことができることから、前記ファイル化された画像データに付されたファイル名にあっては、ユーザが作成しかつ選択したものとなり、ユーザにおいて、このファイル名から、当該ファイルの内容を一層容易に識別することができる。
【００１９】
また、請求項３に係る発明によれば、ユーザは予めファイル名を作成する操作を行うことなく、当該ファイルの内容を容易に認識することが可能となるファイル名を付して画像データを記録することができる。
【００２０】
また、請求項４に係る発明によれば、ファイル名記憶手段に記憶されているファイル名が重複して使用された場合であっても、異なる画像データのファイルに同一のファイル名が付されることがない。
【００２１】
また、請求項５に係る発明によれば、ユーザにおいて予め複数のファイル名を作成して記憶しておき、動画を撮像した際には記憶させておいたファイル名から所望のファイル名を選択して、記録する動画に付することができる。この動画に付されたファイル名にあっては、ユーザが作成し選択したものであることから、ユーザにおいて、このファイル名から、当該動画ファイルの内容を容易に識別することができる。
【発明を実施するための最良の形態】
【００２２】
以下、本発明を携帯電話に適用した実施の形態を図に従って説明する。
（第１の実施の形態）
図１は、本発明の各実施の形態に共通する携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００２３】
本体部の前面には、カメラキー１０４、メールキー１０５、カーソルキー１０６、実行キー１０７、文字種切替キー１０８、ネット接続キー１０９、クリアキー１１０、オンフックキー１１１とオフフックキー１１２、数字・文字キー１１３等が設けられている。これらのキーにおいて、カーソルキー１０６、実行キー１０７、文字種切替キー１０８、ネット接続キー１０９は、この携帯電話１を右手で握持した場合、当該右手の親指で操作可能な位置に配置されている。
【００２４】
また、カメラキー１０４は、着信待受け状態から撮影モードへの移行時及び撮像部の起動させる際に操作されるとともに、カメラモードへの切替に使用される。メールキー１０５は、メールモード移行時及びメールプログラムロード時に操作されるキーである。カーソルキー１０６は、カーソル移動時に操作され、実行キー１０７は各種モードの決定時等に操作される。
【００２５】
文字種切替キー１０８は、数字・文字キー１１３の操作により入力される文字種を切り替えるためのキーであり、ネット接続キー１０９は、外部のネットワーク接続用の操作キーである。クリアキー１１０は、キャンセル指示用のキーであり、メイン表示部１０２にメニュー画面を表示させるためのキーであり、数字・文字キー１１３は、文字入力及びダイアル入力用として使用され、数字［０］〜［９］が付されたキー構成されている。
マイク１１４は、本体部の下部に設けられており、通話時において音声入力を行う。
【００２６】
また、蓋部の背面には、録音用マイク１１５、カラー液晶からなるサブ表示部１１６、着信の際、発光する報知用ＬＥＤ１１７、光学系としての撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００２７】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。
【００２８】
通信データ処理部１２２１は、ＣＥＬＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜数字・文字キー１１３等で構成される。
【００２９】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１２９にてデジタル化された画像データに対し圧縮符号化処理を施すためのプログラムを含む静止画及び動画撮影用のカメラアプリケーションを記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００３０】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により絞り１３２を介して被写体像が結像されるＣＣＤ等からなる。ＤＳＰ１２９は、この撮像デバイス１３０からの画像信号をデジタル信号化処理するとともに、このデジタル信号化処理により得られたデジタル画像データをデジタルズーム処理して拡大あるいは縮小処理するものである。この拡大あるいは縮小処理された画像データに基づき、表示モジュール系ドライバがメイン表示部１０２を駆動することにより、撮像デバイス１３０上に結像された被写体像がメイン表示部１０２に拡大あるいは縮小表示されるとともに、シャッター操作（実行キー１０７の操作）に伴い当該被写体像の静止画データあるいは動画データが後述する画像メモリ１２４３に記録されるように構成されている。
【００３１】
また、撮像レンズ１１８はオートフォーカス制御用のステップモータ等からなる駆動機構（図示せず）に保持されている。そして、制御部１２２からのコントラスト検出方式のパッシブＡＦに基づく制御信号に応じて、ＡＦドライバ１３１が出力する駆動信号が駆動機構に供給されることにより、撮像レンズ１１８を光軸上の前後に移動して合焦動作を行うように構成されている。なお、絞り１３２はパンフォーカスが可能な絞り値が設定された固定式である。
【００３２】
図３は、プログラムＲＯＭ１２５のメモリエリアの構成を示す概念図である。プログラムＲＯＭ１２５は、ソフトウェアプログラム格納領域１２５１及びその他の格納領域１２５２とを有している。ソフトウェアプログラム格納領域１２５１には、本実施の形態の特徴であり後述するフローチャートに示す動画撮影アプリケーションを含むカメラアプリケーションが格納されており、その他の格納領域１２５２にはその他のアプリケーションが格納されている。
【００３３】
図４は、前記ＲＡＭ１２４のメモリエリアの構成を示す概念図である。ＲＡＭ１２４は、アドレス帳記憶領域１２４１、メールデータ記憶領域１２４２、画像メモリ１２４３、ダウンロードデータ記憶領域１２４４、ファイル名記憶部１２４５、及びワークメモリ１２４６からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。
【００３４】
画像メモリ１２４３は、撮影された画像の画像ファイルを格納するものであり、動画ファイルを記憶するための動画ファイル記録部１２４７が設けられている。ダウンロードデータ記憶領域１２４４は、ネットワーク接続により受信したデータを記憶する。ファイル名記憶部１２４５は、図５（ａ）に示すように、後述する処理によりユーザによって作成された「葵＿小１＿１００ｍ走」等全角文字からなる動画ファイル用のファイル名を記憶する。そして、同図（ｂ）に示すように、示すように、このファイル名記憶部１２４５に記憶されているファイル名を用いて、前記動画ファイル記録部１２４７に動画ファイルが記憶される。ワークメモリ１２４６は、ワークエリアとして各種データ格納するとともに、各種ファイルの圧縮処理、伸張処理の際に一時的に使用される。
【００３５】
次に、以上の構成に係る携帯電話１の動作について説明する。着信待受け状態においては、この携帯電話１は一般的な携帯電話と同様に機能する。そして、ユーザが携帯電話１をカメラとして使用すべく、カメラキー１０４のワンタッチ操作すると、制御部１２２は、このカメラキー１０４の操作に応答して撮影モードに移行し、ソフトウェアプログラム格納領域１２５１に記憶されるカメラアプリケーションをロードし、図６に示すフローチャートに従って処理を実行する。
【００３６】
すなわち、カメラキー１０４のワンタッチ操作に応答して、カメラモードを起動し、図７（ａ）に示す起動画面をメイン表示部１０２に表示させる（ステップＳ１０１）。このとき、同図に示すように、メイン表示部１０２にメニューキー１５１と動画キー１５２とを表示させる。この表示状態で、カーソルキー１０６と実行キー１０７との操作により、メニューキー１５１が選択されると、図７（ｂ）に示すメニュー画面をメイン表示部１０２に表示させる（ステップＳ１０２）。
【００３７】
さらに、この表示状態で数字・文字キー１１３における数字「４」が操作されると、前記メニュー画面における「４」は「ファイル名入力」であるので、図７（ｃ）に示すファイル名入力画面を表示させる（ステップＳ１０３）。このとき、同図に示すように、メイン表示部１０２に、ファンクションキー１５３として「メニュー」「登録」「解除」を表示させるとともに、カーソル１５４を表示させる。
【００３８】
ユーザは、カーソルキー１０６の操作によりファイル名入力画面の任意の欄にカーソル１５４を移動させた後、数字・文字キー１１３及び文字種切替キー１０８の操作により、当該欄にファイル名を入力すると、この入力されたファイル名を取り込む（ステップＳ１０４）。そして、ユーザが所望のファイル名を入力した後、ファンクションキー１５３の「登録」を選択すると、この決定したファイル名をファイル名記憶部１２４５に記憶させる（ステップＳ１０５）。なお、図７（ｃ）に示したファイル名は、子供の名前「葵」と、当該子供の学年「小４」、及当該子供が出場する運動会の競技名「１００ｍ走」を組み合わせ、これらの間に＿（全角アンダーバー）を介在させた例である。
【００３９】
また、図８のフローチャートに示すように、カメラキー１０４のワンタッチ操作に応答して、カメラモードを起動し、図７（ａ）に示した起動画面をメイン表示部１０２に表示させた後（ステップＳ２０１）、動画キー１５２が選択された場合には、動画モードに切り替えて、図９に示すファイル名選択画面に遷移する（ステップＳ２０２）。同図に示したファイル名選択画面は、ファイル名記憶部１２４５にユーザが記憶させたファイル名を一覧表示した画面である。
【００４０】
そして、このファイル名選択画面が表示された状態で、ユーザがカーソルキー１０６を操作すると、カーソルキー１０６の操作に応じて、ファイル名選択画面からいずれかのファイル名を選択する（ステップＳ２０３）。さらに、ユーザが実行キー１０７を操作すると、この時点で選択されているファイル名を確定し、動画撮影プレビュー表示（図７（ａ）とほぼ同様の画面）に移行する（ステップＳ２０４）。
【００４１】
この状態で１回目の実行キー１０７の操作がなされると、動画撮影を開始し、撮像レンズ１１８により撮像デバイス１３０上に結像されている被写体像の画像信号を所定のタイミング毎に取り込んで、ＤＳＰ１２９にてデジタル化し、デジタル化された画像データに対し圧縮符号化処理等を施し、ワークメモリ１２４６に蓄積する（ステップＳ２０５）。これにより、ワークメモリ１２４６には動画を構成する各フレームの画像データが蓄積されていく。そして、２回目の実行キー１０７の操作がなされると動画撮影を終了し（ステップＳ２０６）、その時点でワークメモリ１２４６に蓄積されている複数フレームの画像データからなる動画データを動画ファイルとし、前述の選択及び確定したファイル名にて、動画ファイル記録部１２４７に記録する（ステップＳ２０７）。
【００４２】
さらに、同じファイル名の使用を未然に防止すべく、使用したファイル名をファイル名記憶部１２４５から削除する（ステップＳ２０８）。したがって、図１０（ａ）に示すように、ファイル名記憶部１２４５にファイル名「葵  小２  １００ｍ走」が記憶されていた状態で、このファイル名が使用されたとすると、同図（ｂ）に示すようにファイル名「葵  小２  １００ｍ走」が削除された状態となる。したがって、ファイル名記憶部１２４５に記憶されているファイル名を重複して使用することが不可能となり、異なる動画ファイルに同一のファイル名が付されることが未然に防止される。
【００４３】
また、前述のように、ファイル名「葵  小２  １００ｍ走」は、ユーザが子供の名前「葵」と、当該子供の学年「小４」、及当該子供が出場する運動会の競技名「１００ｍ走」を組み合わせて作成したものであることから、ユーザにおいて、このファイル名から、当該動画ファイルの内容を容易に識別することができる。したがって、ユーザが携帯電話１の通信機能を利用して、この動画ファイルを自己のパソコンに転送して、大画面で観賞しようとした際、パソコンの画面上に表示されるファイル名を視認することのみにより、当該動画ファイルの内容を容易に認識することが可能となる。
【００４４】
尚、本第１の実施の形態では、ステップＳ２０５の撮影開始の前にステップＳ２０３のファイル名の選択を行っていたが、動画撮影機能付携帯電話の場合、ステップＳ２０６の撮影終了検出（ワークメモリ１２４６への複数フレームからなる画像データの蓄積）から、動画ファイル化処理・保存までの間に、ユーザ操作検出による保存確認検出の有無をジャッジとして設けるケースもあるので、ファイル名の選択をこの時点で行うようにしてもよい。この場合、ワークメモリ１２４６への蓄積完了時、所望のファイル名を選択できるので、動画ファイルの内容に合致したファイル名を選択できるという効果を得ることができる。
【００４５】
（第２の実施の形態）
図１１は、本発明の第２の実施の形態における処理手順を示すフローチャートである。このフローチャートにおいて、ステップＳ３０１〜Ｓ３０６の処理は、前述した図８のフローチャートにおけるステップＳ２０１〜ステップＳ２０６の処理と同一である。
【００４６】
そして、ステップＳ３０６に続くステップＳ３０７においては、ステップＳ３０４で確定された選択したファイル名が既に使用記録されているか否か、つまり動画ファイル記録部１２４７に記録されているか否かを判断する（ステップＳ３０７）。記録されていない場合には、ステップＳ３０８の処理を行うことなく、その時点でワークメモリ１２４６に蓄積されている複数フレームの画像データからなる動画データを動画ファイルとし、選択及び確定したファイル名にて、動画ファイル記録部１２４７に記録する（ステップＳ３０９）。
【００４７】
しかし、今回ユーザが選択したファイル名が既に使用記録されている場合には、ファイル名に識別符号「２」を付記して（ステップＳ３０８）、動画ファイル記録部１２４７に記録する（ステップＳ３０９）。したがって、図１２に示すように、ファイル名「翔  小４  フォークダンス」が既に動画ファイル記録部１２４７に記録されている状態で、これと同じファイル名が選択された場合には、今回の動画ファイルには識別符号「２」が付記されて、ファイル名「翔  小４  フォークダンス  ２．ｍｐｇ」で記録されることとなる。
【００４８】
引き続き、動画ファイル記録部１２４７にて記録したファイル名と同じ動画ファイルを検索し（ステップＳ３１０）、そのファイルのファイル名に識別符号「１」を追加して、これを書き換える（ステップＳ３１１）。したがって、図１２に矢印で示したように、元の動画ファイル名は「翔  小４  フォークダンス  １．ｍｐｇ」に書き換えることとなる。よって、ユーザが誤ってあるいはやむなく同じファイル名を重複して選択した場合であっても、異なる動画ファイルに同一のファイル名が付されることが未然に防止される。
【００４９】
（第３の実施の形態）
図１３は、本発明の第３の実施の形態における処理手順を示すフローチャートである。このフローチャートにおいて、ステップＳ４０１〜Ｓ４０６の処理は、前述した図８のフローチャートにおけるステップＳ２０１〜ステップＳ２０６の処理と同一である。
【００５０】
そして、ステップＳ４０６に続くステップＳ４０７においては、録画撮影を終了した時刻を時刻計時部１２２４から取得してワークメモリ１２４６に記憶する（ステップＳ４０７）。しかる後に、ワークメモリ１２４６に蓄積されている複数フレームの画像データからなる動画データを動画ファイルとし、選択したファイル名にワークメモリ１２４６の時刻を付記して動画ファイル記録部１２４７に記録する（ステップＳ４０８）
【００５１】
したがって、本実施の形態においては、図１４に示すように、動画ファイル記録部１２４７には、「１０；１２」等の時刻を有するファイル名にて動画ファイルが記録されることとなる。これにより、ユーザはファイル名を視認することのみにより、当該動画ファイルの内容を容易かつ明瞭に認識することが可能となる。
【００５２】
（第４の実施の形態）
図１５は、本発明の第４の実施の形態において用いるシステムの構成を示すブロック図である。図において、携帯電話１は、前述した構成であって通話機能と画像送受信機能とを備える。無線基地局２は、携帯電話１を当該携帯電話１が加入する通信サービス事業者（インターネットプロバイダを含む）４に接続する。
【００５３】
通信サービス事業者（インターネットプロバイダを含む）４は、主なサービスとして提供している携帯電話サービスに必要とする通信回路処理部４１の他、後述のＷＷＷ５に接続するためのシステム（Ｗｅｂサーバ４３）、メールシステム（メールサーバ４２）を備えている。また、無線基地局２をＡＰ（アクセス・ポイント）として、携帯電話１をＷＷＷ５に接続させるための機能も備えている。ファイル名提供サービス会社６は、ＷＷＷ５に接続するためのシステム（Ｗｅｂサーバ６１）、管理サーバ６３及びファイル名データベース６２を備えている。このファイル名データベース６２には、図１６に示すように、「イベント」「観光地」等の大項目毎に、「遠足」「運動会」との小項目が記憶され、さらにこの小項目毎に、「春の遠足」「秋の遠足」等のユーザにより最終的に選択されるファイル名が記憶されている。
【００５４】
図１７は、本実施の形態における処理手順を示すフローチャートである。前述と同様に、カメラキー１０４のワンタッチ操作に応答して、カメラモードを起動し、図７（ａ）に
示した起動画面をメイン表示部１０２に表示させた後（ステップＳ５０１）、動画キー１５２が選択された場合には、動画モードに切り替える（ステップＳ５０２）。しかる後に、通信データ処理部１２２１、無線部１２１等を起動させて、無線基地局２、通信サービス事業者４、ＷＷＷ５を介してファイル名提供サービス会社６のファイル名データベース６２にアクセスする（ステップＳ５０３）。さらに、ファイル名データベース６２からデータをダウンロードしてダウンロードデータ記憶領域１２４４に格納し、この格納したデータにより、ファイル名選択画面に遷移する（ステップＳ５０４）。このステップＳ５０４での処理により、図１８（ａ）に示すように、先ず大項目と小項目及びカーソル１５４を表示し、カーソルキー１０６の操作によりカーソル１５４を移動させて、実行キー１０７が操作されると、同図（ｂ）に示すように、選択された小項目中のファイル名をカーソル１５４と共に表示する。
【００５５】
そして、このファイル名選択画面が表示された状態で、ユーザがカーソルキー１０６を操作すると、カーソルキー１０６の操作に応じて、ファイル名選択画面からいずれかのファイル名を選択する（ステップＳ５０５）。さらに、ユーザが実行キー１０７を操作すると、この時点で選択されているファイル名を確定し、動画撮影プレビュー表示（図７（ａ）とほぼ同様の画面）に移行する（ステップＳ５０６）。
【００５６】
この状態で１回目の実行キー１０７の操作がなされると、動画撮影を開始し、撮像レンズ１１８により撮像デバイス１３０上に結像されている被写体像の画像信号を所定のタイミング毎に取り込んで、ＤＳＰ１２９にてデジタル化し、デジタル化された画像データに対し圧縮符号化処理等を施し、ワークメモリ１２４６に蓄積する（ステップＳ５０７）。これにより、ワークメモリ１２４６には動画を構成する各フレームの画像データが蓄積されていく。そして、２回目の実行キー１０７の操作がなされると動画撮影を終了し（ステップＳ５０８）、その時点でワークメモリ１２４６に蓄積されている複数フレームの画像データからなる動画データを動画ファイルとし、前述の選択及び確定したファイル名にて、動画ファイル記録部１２４７に記録する（ステップＳ５０９）。
【００５７】
したがって、本実施の形態によれば、ユーザはファイル名を作成する操作を予め行うことなく、当該動画ファイルの内容を容易に認識することが可能となるファイル名を付して動画ファイルを記録することができる。
【００５８】
なお、本実施の形態においては、本発明を携帯電話に適用した場合を示したが、これに限ることなく、ＰＤＡ、デジタルカメラ単体、携帯型ゲーム機等撮像機能を有する他の機器に適用し得ることは勿論である。また、本発明に係る技術は、動画のみならず静止画、あるいは音声等にも適用することができる。
【図面の簡単な説明】
【００５９】
【図１】本発明の各実施の形態に共通する携帯電話の外観図である。
【図２】同携帯電話の回路構成を示すブロック図である。
【図３】プログラムＲＯＭのメモリエリアの構成を示す概念図である。
【図４】ＲＡＭのメモリエリアの構成を示す概念図である。
【図５】第１の実施の形態における画面遷移図である。
【図６】同実施の形態における処理手順を示すフローチャートである。
【図７】図６のフローチャートに対応する画面遷移図である。
【図８】第１の実施の形態における処理手順を示すフローチャートである。
【図９】図８のフローチャートに対応する表示画面例を示す図である。
【図１０】第１の実施の形態おけるファイル名記憶部の遷移図である。
【図１１】本発明の第２の実施の形態における処理手順を示すフローチャートである。
【図１２】同実施の形態における動画ファイル記録部の変化を示す図である。
【図１３】本発明の第３の実施の形態における処理手順を示すフローチャートである。
【図１４】同実施の形態における動画ファイル記録部に記録されたファイル名を示す図である。
【図１５】本発明の第４の実施の形態において用いるシステムの構成を示すブロック図である。
【図１６】ファイル名データベースの記憶内容を示す図である。
【図１７】本発明の第４の実施の形態における処理手順を示すフローチャートである。
【図１８】同実施の形態における画面遷移図である。
【符号の説明】
【００６０】
１          携帯電話
４１        通信回路処理部（無線受信手段）
６２        ファイル名データベース
１０２      メイン表示部
１０３      アンテナ（無線受信手段）
１０４      カメラキー
１０６      カーソルキー（選択手段、操作部）
１０７      実行キー（選択手段、操作部）
１０８      文字種切替キー（ファイル名作成手段）
１１３      数字・文字キー（ファイル名作成手段）
１１８      撮像レンズ（撮像手段、撮像部）
１２１      無線部（無線受信手段）
１２２      制御部（記録制御手段、判断手段）
１２３      データバス処理部
１２４      ＲＡＭ
１２５      プログラムＲＯＭ
１２９      ＤＳＰ
１３０      撮像デバイス（撮像手段、撮像部）
１５１      メニューキー
１５２      動画キー
１５３      ファンクションキー
１５４      カーソル
１２２１    通信データ処理部（無線通信手段）
１２２２    システムＲＯＭ
１２２４    時刻計時部
１２４３    画像メモリ
１２４４    ダウンロードデータ記憶領域
１２４５    ファイル名記憶部（ファイル名記憶手段）
１２４６    ワークメモリ
１２４７    動画ファイル記録部（記録手段、画像メモリ）
【図１】
2005277614.tif 000003
【図２】
2005277614.tif 000004
【図３】
2005277614.tif 000005
【図４】
2005277614.tif 000006
【図５】
2005277614.tif 000007
【図６】
2005277614.tif 000008
【図７】
2005277614.tif 000009
【図８】
2005277614.tif 000010
【図９】
2005277614.tif 000011
【図１０】
2005277614.tif 000012
【図１１】
2005277614.tif 000013
【図１２】
2005277614.tif 000014
【図１３】
2005277614.tif 000015
【図１４】
2005277614.tif 000016
【図１５】
2005277614.tif 000017
【図１６】
2005277614.tif 000018
【図１７】
2005277614.tif 000019
【図１８】
2005277614.tif 000020